(57)【特許請求の範囲】
【請求項１】
ネットワークにより提供されるコンテンツに関する少なくとも該コンテンツの概要と該コンテンツを取得するためのネットワークアドレスとを含むメタ情報を取得するメタ情報取得手段と、
前記メタ情報に基づいて要約画面を生成し表示するメタ情報表示手段と、
前記ネットワークアドレスにアクセスして前記コンテンツを取得し、前記要約画面に重畳して該要約画面に表示された内容の視認を阻害しない第１の領域に、前記コンテンツの内容を視認し得る大きさで前記コンテンツを縮小表示する縮小表示手段と、を備え、
前記第１の領域を前記コンテンツを閲覧するためのユーザの操作を受け付けるユーザインタフェースとして機能させるとともに、前記第１の領域に前記コンテンツが縮小表示されることで前記コンテンツの提供者にアクセス数を付与する
ことを特徴とする情報処理装置。
【請求項２】
前記第１の領域を指定してユーザが所定の操作を行うと、前記ネットワークアドレスにアクセスして前記コンテンツを取得し、少なくとも前記要約画面全体を覆う第２の領域に取得した前記コンテンツを表示する全体表示手段をさらに備え、
前記全体表示手段により前記第２の領域に取得した前記コンテンツが表示されることで前記コンテンツの提供者にアクセス数を付与する
ことを特徴とする請求項１記載の情報処理装置。
【請求項３】
前記メタ情報表示手段は、前記メタ情報に含まれる広告情報に基づいて取得した広告を前記要約画面に表示することを特徴とする請求項１又は２記載の情報処理装置。
【請求項４】
前記メタ情報取得手段は、前記メタ情報に含まれる前記コンテンツに関連する関連コンテンツのメタ情報を取得し、前記メタ情報表示手段は、前記メタ情報取得手段により取得された前記関連コンテンツのメタ情報に基づいて取得した関連コンテンツを前記要約画面に表示することを特徴とする請求項１から３の何れか１項に記載の情報処理装置。
【請求項５】
前記メタ情報取得手段は、前記メタ情報に含まれる前記コンテンツが推薦する推薦コンテンツのメタ情報を取得し、前記メタ情報表示手段は、前記メタ情報取得手段により取得された前記推薦コンテンツのメタ情報に基づいて取得した推薦コンテンツを前記要約画面に表示することを特徴とする請求項１から４の何れか１項に記載の情報処理装置。
【請求項６】
コンピュータが、ネットワークにより提供されるコンテンツに関する少なくとも該コンテンツの概要と該コンテンツを取得するためのネットワークアドレスとを含むメタ情報を取得して記憶部に記憶する工程と、
コンピュータが、前記記憶部に記憶された前記メタ情報に基づいて要約画面を生成し表示部に表示する工程と、
コンピュータが、前記ネットワークアドレスにアクセスして前記コンテンツを取得し、前記要約画面に重畳して前記要約画面より小さい第１の領域に、前記コンテンツの内容を視認し得る大きさで前記コンテンツを縮小表示する工程と、
コンピュータが、前記第１の領域を前記コンテンツを閲覧するためのユーザの操作を受け付けるユーザインタフェースとして機能させるとともに、前記第１の領域に前記コンテンツが縮小表示されることで前記コンテンツの提供者にアクセス数を付与する工程と
を備えることを特徴とする情報処理方法。
【請求項７】
ネットワークにより提供されるコンテンツに関する少なくとも該コンテンツの概要と該コンテンツを取得するためのネットワークアドレスとを含むメタ情報を取得して記憶部に記憶する処理と、
前記記憶部に記憶された前記メタ情報に基づいて要約画面を生成し表示部に表示する処理と、
前記ネットワークアドレスにアクセスして前記コンテンツを取得し、前記要約画面に重畳して前記要約画面より小さい第１の領域に、前記コンテンツの内容を視認し得る大きさで前記コンテンツを縮小表示する処理と、
前記第１の領域を前記コンテンツを閲覧するためのユーザの操作を受け付けるユーザインタフェースとして機能させるとともに、前記第１の領域に前記コンテンツが縮小表示されることで前記コンテンツの提供者にアクセス数を付与する処理と
をコンピュータに実行させることを特徴とするプログラム。
【発明の詳細な説明】
【技術分野】
【０００１】
本発明は、情報処理装置、情報処理方法、及び、プログラムに関する。
【背景技術】
【０００２】
従来から、ＬＡＮ(Local Area Network)やＷＡＮ(Wide Area Network)、インターネットなど、通信ネットワークにおけるサーバ・クライアント・システムでは、クライアント装置が備えるＷｅｂブラウザにより、サーバ装置が生成保存している種々のＷｅｂコンテンツを取得表示して閲覧することが行われている。
【０００３】
また、近年、Ｗｅｂコンテンツの概要メタ情報であるＲＳＳ(Rich Site Summary)、ＲＤＦ(Resource Description Framework)、Ａｔｏｍなどの利用が進んでいる。例えば、ＲＳＳは、Ｗｅｂコンテンツの見出しや要約などのメタデータをＸＭＬベースのフォーマットで構造化して記述したものであり、主にＷｅｂコンテンツの更新情報を公開するのに使われている。
【０００４】
ＲＳＳで記述された文書には、Ｗｅｂコンテンツの各ページのタイトル、アドレス、見出し、要約、更新時刻などを記述することができる。このＲＳＳ文書を用いることで、多数のＷｅｂコンテンツの更新情報を統一的な方法で効率的に把握することができる。
【０００５】
上記に関し、特許文献１には、Ｗｅｂコンテンツの情報及び当該Ｗｅｂコンテンツに関するメタ情報を取得し、このメタ情報に含まれるタイトル文字列に対応してＷｅｂコンテンツ内のタイトル要素を抽出し、Ｗｅｂコンテンツを抽出されたタイトル要素を区切りとしたブロックに分割し、Ｗｅｂコンテンツを分割されたブロック単位でユーザインタフェースを制御して表示することが記載されている。
【先行技術文献】
【特許文献】
【０００６】
【特許文献１】特開２００９−２４４９７２号公報
【発明の概要】
【発明が解決しようとする課題】
【０００７】
特許文献１によれば、Ｗｅｂコンテンツの内容をユーザから見て意味的区切りとなるタイトル毎に分割し、より扱いやすく表示させることが可能となる。
【０００８】
ところで、近年、ニュースサイトを運営する複数のコンテンツプロバイダから様々なニュースをＲＳＳで記述された文書として取得し、取得した複数のニュースを自身のサイトにアレンジして表示することが行われている。これにより、ユーザは自分で検索することなく、つまり、ニュースの配信元である特定のコンテンツプロバイダを巡回することなく、見たいニュースを簡単に閲覧することができる。
【０００９】
一方、上記コンテンツプロバイダは、提供するニュースサイトをできるだけ多くのユーザに閲覧してもらい、大量のアクセス（以下「トラフィック」という。）を獲得したい。サイトのトラフィックを多く獲得するということは、そのサイトは多くのユーザに閲覧されているということであり、つまり当該サイトが人気サイトであることが証明されるからである。そして、このような人気サイトであれば、当該サイトに広告を表示したいと思う広告主が現れるため、その広告主から広告収入を得られるコンテンツプロバイダにとって有益である。
【００１０】
しかし、上述したようにＲＳＳで記述された文書としてコンテンツプロバイダから取得したニュースを表示する手法では、ユーザは配信元であるコンテンツプロバイダを巡回することがなくなるので、コンテンツプロバイダはその分トラフィックを獲得することができなくなってしまう。なお、特許文献１は、ニュースサイトを閲覧する上でユーザに見やすい表示手法だけを考慮したものであり、トラフィックについて言及されたものではない。
【００１１】
本発明は、このような実情に鑑みてなされたものであって、コンテンツの閲覧性を高めるとともに、コンテンツ提供元のトラフィックの獲得数を高めることができる情報処理装置を提供することを目的とする。
【課題を解決するための手段】
【００１２】
上記の課題を解決するため、本発明の情報処理装置は、ネットワークにより提供されるコンテンツに関する少なくとも該コンテンツの概要と該コンテンツを取得するためのネットワークアドレスとを含むメタ情報を取得するメタ情報取得手段と、メタ情報に基づいて要約画面を生成し表示するメタ情報表示手段と、ネットワークアドレスにアクセスしてコンテンツを取得し、要約画面に重畳して該要約画面に表示された内容の視認を阻害しない第１の領域に、コンテンツの内容を視認し得る大きさでコンテンツを縮小表示する縮小表示手段と、を備え、第１の領域をコンテンツを閲覧するためのユーザの操作を受け付けるユーザインタフェースとして機能させるとともに、第１の領域にコンテンツが縮小表示されることでコンテンツの提供者にアクセス数を付与することを特徴とする。
【発明の効果】
【００１３】
本発明によれば、コンテンツの閲覧性を高めるとともに、コンテンツ提供元のトラフィックの獲得数を高めることができる。
【図面の簡単な説明】
【００１４】
【図１】本発明の実施形態における情報処理装置の全体構成図である。
【図２】本発明の実施形態における情報処理装置の機能ブロック図である。
【図３】本発明の実施形態における表示画面例である。
【図４】本発明の実施形態におけるアクセス数カウントについて説明する模式図である。
【図５】本発明の実施形態における別の表示画面例である。
【図６】本発明の実施形態における情報処理手順を示すフローチャートである。
【発明を実施するための形態】
【００１５】
次に、本発明を実施形態における情報処理装置について図面を参照して詳細に説明する。なお、各図中、同一又は相当する部分には同一の符号を付しており、その重複説明は適宜に簡略化乃至省略する。本実施形態における情報処理装置としては、デスクトップ型ＰＣ（Ｐｅｒｓｏｎａｌ  Ｃｏｍｐｕｔｅｒ）、ノート型ＰＣ、タブレット型ＰＣ、スマートフォン、ＰＤＡ（Ｐｅｒｓｏｎａｌ  Ｄｉｇｉｔａｌ  Ａｓｓｉｓｔａｎｔ）、携帯電話等の情報端末があげられる。
【００１６】
本実施形態における情報処理装置１の全体構成について図１を参照して説明する。本実施形態における情報処理装置１は、ＣＰＵ２と、ＲＡＭ（Ｒａｎｄｏｍ  Ａｃｃｅｓｓ  Ｍｅｍｏｒｙ）３と、ＲＯＭ（Ｒｅａｄ  Ｏｎｒｙ  Ｍｅｍｏｒｙ）４と、ＨＤＤ５と、ネットワークインタフェース（以下「ＮＷ  Ｉ／Ｆ」という。）６と、操作部７と、表示部８を備える。
【００１７】
ＣＰＵ２は、例えば、本実施形態における情報処理装置１の全体制御を行う制御部である。
【００１８】
ＲＡＭ３は、例えば、プログラムやデータの展開用メモリ、描画用メモリなどである。ＲＯＭ４は、例えば、プログラムやデータの格納用メモリであり、ＨＤＤ５は、例えば、画像データ等を記憶する大容量記憶装置である。なお、画像データ等は、ＮＷ  Ｉ／Ｆ６を介してインターネット等から取得するものであっても、不図示の外部デバイスを介してユーザによりＨＤＤ５に保存されるものであってもよい。
【００１９】
ＮＷ  Ｉ／Ｆ６は、インターネット等の外部ネットワークと通信を行うための通信手段である。例えば、情報処理装置１は、インターネットに接続されたＷｅｂサーバから当該Ｗｅｂサーバが保存しているＷｅｂコンテンツをＮＷ  Ｉ／Ｆ６を介して取得する。
【００２０】
操作部７は、ユーザの情報処理装置１に対する操作を受け付けるマウス、キーボード、あるいは装置表面に設けられた操作ボタン等の入力手段である。なお、後述するタッチパネルも入力手段に含まれる。
【００２１】
表示部８は、上述したようなＷｅｂコンテンツや画像データ等を表示する液晶ディスプレイ等である。また、表示部８はユーザの指等の接触を検知するタッチパネルを備え、タッチパネルに対するユーザのタッチ操作に応じて各種機能が作動する。
【００２２】
次に、本実施形態における情報処理装置１の機能ブロックについて図２を参照して説明する。本実施形態の情報処理装置１は、機能ブロックとして、メタ情報取得手段１１と、メタ情報表示手段１２と、縮小表示手段１３と、全体表示手段１４と、を含み構成されている。
【００２３】
メタ情報取得手段１１は、インターネット等のネットワークにより提供されるＷｅｂコンテンツに関するＷｅｂコンテンツの概要や、そのＷｅｂコンテンツを取得するためのネットワークアドレスを含むメタ情報を取得する。メタ情報とは、例えば、ＲＳＳで記述された文書でいえば、Ｗｅｂコンテンツの各ページのタイトル、アドレス、見出し、記事、画像、要約、更新時刻などをいう。なお、取得されたＷｅｂコンテンツの情報やメタ情報は、上述したＨＤＤ５等の記憶部に記憶される。
【００２４】
メタ情報表示手段１２は、上記のメタ情報に基づいて、Ｗｅｂコンテンツの要約画面を生成して表示部８に表示する。Ｗｅｂコンテンツの要約画面とは、例えば、各種ニュースサイトから取得した複数のニュース記事としてのコンテンツ記事のタイトル、要約、及び添付画像等をまとめた簡易表示画面である。ユーザは要約画面を閲覧することで、ニュースサイトに遷移することなく、所望のニュースを知ることができる。
【００２５】
縮小表示手段１３は、上述したネットワークアドレスにアクセスしてＷｅｂコンテンツを取得し、Ｗｅｂコンテンツの要約画面に重畳して要約画面より小さい第１の領域に縮小表示する。以下の説明において、このＷｅｂコンテンツが縮小表示される第１の領域を『サイトを表示ボタン』として機能させる。このとき、縮小表示手段１３は、要約画面に重畳して表示されるＷｅｂコンテンツをＷｅｂコンテンツの内容が視認し得る大きさで第１の領域に表示する。なお、本実施形態において、第１の領域は後述する第２の形態と区別するための形式的な記載であり、特定の意義、序列や大小等を規定するものではない。本実施形態において、第１の領域には、例えば、Ｗｅｂサイトを閲覧するためのＷｅｂブラウザそのものを小さくして表示する。本実施形態では、第１の領域に表示されるＷｅｂコンテンツがユーザの興味を引く程度に視認可能な大きさで表示されることが望ましく、その理由は後述する。さらに、第１の領域は、Ｗｅｂコンテンツを閲覧するためのユーザの操作を受け付けるユーザインタフェース（以下「ＵＩ」という。）として機能させることが望ましい。第１の領域に表示されるのはＷｅｂコンテンツそのものであるため、このままだと以下の不具合が生じることになる。例えば、ユーザがマウス等を使用して画面をスクロールさせる場合、本来、Ｗｅｂコンテンツが重畳される要約画面においてスクロールを実行したかったところ、誤ってＷｅｂコンテンツにおいてスクロールが実行されてしまうという不具合が考えられる。本実施形態では、このような不具合を防止すべく、第１の領域に、例えば透明のレイヤーでマスクし、Ｗｅｂコンテンツに対する操作を無効にする必要がある。このようにすることで、第１の領域を、Ｗｅｂコンテンツを閲覧するためのユーザの操作を受け付けるＵＩ、つまりボタンとして機能させることが可能となる。
【００２６】
全体表示手段１４は、第１の領域を指定してユーザが所定の操作を行うと、ＷｅｂコンテンツのネットワークアドレスにアクセスしてＷｅｂコンテンツを取得し、要約画面全体を覆う第２の領域に表示する。所定の操作とは、例えば、上述したようにＵＩとして機能させる第１の領域をユーザがマウス等の操作により選択する操作をいう。そして、この第１の領域上でユーザがマウスのボタンをクリックすると、Ｗｅｂコンテンツが要約画面を覆うように切り替えられて表示される。第２の領域とは、ここでは、要約画面から切り替わってＷｅｂコンテンツが表示される遷移後の画面をいう。
【００２７】
また、メタ情報表示手段１２は、メタ情報に含まれる広告情報に基づいて取得した広告を要約画面に表示する。上記のように、要約画面に縮小表示されたＷｅｂコンテンツを重畳させる場合、本来、Ｗｅｂコンテンツにおいて提供される広告情報等は、Ｗｅｂコンテンツが縮小表示され、ブラウザに対する操作が無効とされていることから、閲覧することができなくなっている。これは、その広告をサイトへ提供している広告主にとって好ましくない状況である。そこで、本実施形態では、広告情報を、例えば横長のバナー広告表示のように要約画面に表示することで、広告主に便宜を図ることができる。
【００２８】
さらに、メタ情報表示手段１２は、メタ情報に含まれるコンテンツに関連する関連コンテンツのメタ情報に基づいて取得した関連コンテンツを要約画面に表示させてもよい。関連コンテンツとは、例えば、現在要約画面に表示させているＷｅｂコンテンツの内容に関連するＷｅｂコンテンツである。詳細は後述する。コンテンツの関連性については、例えば、過去３日分のＲＳＳフィードを解析して、単語の類似性等により記事同士の関連性を判断して、その判断に基づいた関連記事を抽出して表示させればよい。
【００２９】
さらに、メタ情報表示手段１２は、メタ情報に含まれるコンテンツが推薦する推薦コンテンツのメタ情報に基づいて取得した推薦コンテンツを要約画面に表示させてもよい。コンテンツが提供されるサイトが推薦する推薦コンテンツとは、例えば、Ｗｅｂコンテンツを提供するコンテンツプロバイダが推薦するＷｅｂコンテンツである。なお、推薦コンテンツの例としては、各記事のリツイート数から注目度を判断して、その判断結果に基づいた注目記事がある。
【００３０】
上述のように、関連コンテンツや推薦コンテンツを要約画面に表示させておくことにより、要約画面の元のＷｅｂサイトを同一のユーザが閲覧し続ける可能性が高くなるため、当該Ｗｅｂサイトを提供するコンテンツプロバイダにとって非常に有益である。同一のユーザが閲覧し続けてくれれば、当該Ｗｅｂサイトに対するトラフィックがさらに向上するからである。
【００３１】
なお、メタ情報表示手段１２により、『サイトを表示ボタン』のほかに、サイトを閲覧するためのＵＩを別途要約画面に重畳して表示させてやってもよい。例えば、要約画面をスクロールさせたとき、当初上方に表示されていた『サイトを表示ボタン』は、スクロールにより画面外に隠れて見えなくなってしまうことが考えられる。これでは、ユーザに元サイトへ遷移してもらえなくなってしまう。そこで、『サイトを表示ボタン』のほかに、サイト閲覧のためのＵＩを設けることで、ユーザに元サイトへ遷移してもらえる可能性を高めることが可能となる。例えば、スクロールした先に、常に、サイト閲覧のためのＵＩを追随表示させてやればよい。このときのサイト閲覧のためのＵＩは、上述の『サイトを表示ボタン』と同様にＷｅｂコンテンツを縮小表示したものであっても、簡易なアイコン表示であってもよい。
【００３２】
次に、本実施形態における要約画面、『サイトを表示ボタン』及びバナー広告表示について図３を参照して説明する。ここでの表示画面例は、要約画面１００に『サイトを表示ボタン』１０１とバナー広告表示１０２が重畳して表示されているものである。要約画面１００として、ここでは例えば新車を紹介するＷｅｂコンテンツを示しており、当該Ｗｅｂコンテンツの要約タイトル１０３として『○○社、ニューモデルを発表！クラス最高水準の低燃費！環境基準☆☆☆☆☆を獲得』と、車のイメージ画像１０４が表示されている。
【００３３】
『サイトを表示ボタン』１０１は、当該Ｗｅｂコンテンツの元サイトへ遷移するためのＵＩである。また、バナー広告表示１０２として、ここでは、『近日発売の新型ＳＵＶ、特設サイトにて公開！』という広告情報が表示されている。これにより、『サイトを表示ボタン』１０１では表示されない、元サイトに表示されていた広告を表示させることで、要約画面においてもユーザへの宣伝効果を上げることができる。
【００３４】
次に、本実施形態におけるアクセス数カウントについて図４を参照して説明する。つまり、上述した『サイトを表示ボタン』１０１を要約画面１００に重畳して表示させることで、コンテンツプロバイダ側が『１ＰＶ』（ＰＶ：Ｐａｇｅ  Ｖｉｅｗ  本実施形態ではアクセス数の単位とする。）を獲得することができる。さらに、ユーザにより『サイトを表示ボタン』１０１がクリックされ、元サイトが表示されることで、コンテンツプロバイダ側はさらにもう『１ＰＶ』獲得することができる。このように、本実施形態によれば、コンテンツの閲覧性を高めるとともに、コンテンツ提供元のトラフィックの獲得数を高めることが可能となる。
【００３５】
次に、本実施形態における別の表示画面例について図５を参照して説明する。図５は、ユーザのスクロール操作により要約画面１００の末端の表示内容が現れた状態を示したものである。ここでは、上述した関連記事及び注目記事が表示されている。例えば、関連記事として、元サイトに関連するレーシングカーについての関連記事１１１、スポーツバイクについての関連記事１１２、別の新車についての関連記事１１３が表示されている。また、注目記事として、元サイトを提供するコンテンツプロバイダが注目する映画についての注目記事１１４、ノートＰＣについての注目記事１１５、プロサッカーについての注目記事１１６が表示されている。このように、関連記事や注目記事を要約画面１００に表示させておくことにより、要約画面１００の元のＷｅｂサイトを同一のユーザが閲覧し続ける可能性が高くなるため、当該Ｗｅｂサイトを提供するコンテンツプロバイダにとって非常に有益である。
【００３６】
次に、本実施形態における情報処理手順について図６を参照して説明する。まず、メタ情報取得手段１１は、Ｗｅｂコンテンツの概要やＷｅｂコンテンツを取得するためのネットワークアドレス等を含むメタ情報としてのＲＳＳフィードを取得する（ステップＳ１）。
【００３７】
次に、メタ情報表示手段１２は、取得したＲＳＳフィード等に基づいて要約画面１００を生成し、表示部８に表示する（ステップＳ２）。
【００３８】
そして、縮小表示手段１３は、『サイトを表示ボタン』１０１を要約画面１００に重畳して表示させる（ステップＳ３）。
【００３９】
その後、メタ情報表示手段１２は、バナー広告表示１０２を要約画面１００に重畳して表示させる（ステップＳ４）。
【００４０】
そして、ユーザにより『サイトを表示ボタン』１０１がマウスのクリック操作等により選択されると（ステップＳ５）、元サイトに表示が遷移される（ステップＳ６）。
【００４１】
なお、上述する各実施の形態は、本発明の好適な実施の形態であり、本発明の要旨を逸脱しない範囲内において種々変更実施が可能である。例えば、上記機能は、アセンブラ、Ｃ言語などのプログラミング言語などで記述されたコンピュータ実行可能なプログラムにより実現することができる。
【符号の説明】
【００４２】
１    情報処理装置
２    ＣＰＵ
３    ＲＡＭ
４    ＲＯＭ
５    ＨＤＤ
６    ＮＷ  Ｉ／Ｆ
７    操作部
８    表示部
１１    メタ情報取得手段
１２    メタ情報表示手段
１３    縮小表示手段
１４    全体表示手段
１００    要約画面
１０１    サイトを表示ボタン
１０２    バナー広告表示
【図１】
0005973480.tif 000002
【図２】
0005973480.tif 000003
【図３】
0005973480.tif 000004
【図４】
0005973480.tif 000005
【図５】
0005973480.tif 000006
【図６】
0005973480.tif 000007